(57)【要約】【課題】          補助的な開閉機能を果たす原稿圧着板開閉装置を提供する。【解決手段】      装置本体上に取り付けられる取付板と軸受板から成る断面略Ｌ字形状を呈した取付部材と、板状を呈し前記取付部材の前記軸受板に片軸受型に軸支された原稿圧着板の支持部材と、板状の基材部とこの基材部の上側と下側の直角方向へ互い違いに曲折して設けた調節片と取付片を有し前記支持部材の自由端側に前記基材部を片軸受型に軸支されたリフト部材とから成り、前記取付部材と前記支持部材の間に当該支持部材の回動範囲を規制する第１規制手段と、前記支持部材と前記リフト部材との間に当該リフト部材の回動範囲を規制する第２規制手段を設ける。【選択図】        図４
2005037954.tif 000002
【特許請求の範囲】
【請求項１】
装置本体上に取り付けられる取付板と軸受板から成る断面略Ｌ字形状を呈した取付部材と、板状を呈し前記取付部材の前記軸受板に片軸受型に軸支された原稿圧着板の支持部材と、板状の基材部とこの基材部の上側と下側の直角方向へ互い違いに曲折して設けた調節片と取付片を有し前記支持部材の自由端側に前記基材部を片軸受型に軸支されたリフト部材とから成り、前記取付部材と前記支持部材の間に当該支持部材の回動範囲を規制する第１規制手段と、前記支持部材と前記リフト部材との間に当該リフト部材の回動範囲を規制する第２規制手段を設けたことを特徴とする、原稿圧着板開閉装置。
【請求項２】
装置本体上に取り付けられる取付板と軸受板から成る断面略Ｌ字形状を呈した取付部材と、板状を呈し前記取付部材の前記軸受板に片軸受型に軸支された原稿圧着板の支持部材と、板状の基材部とこの基材部の上側と下側の直角方向へ互い違いに曲折して設けた調節片と取付片を有し前記支持部材の自由端側に前記基材部を片軸受型に軸支されたリフト部材、このリフト部材と前記取付部材或は支持部材との間に、前記リフト部材を前記支持部材と重なる方向へ附勢するために張設された引張コイルスプリングとから成り、前記取付部材と前記支持部材の間に当該支持部材の回動範囲を規制する第１規制手段と、前記支持部材と前記リフト部材との間に当該リフト部材の回動範囲を規制する第２規制手段を設けたことを特徴とする、原稿圧着板開閉装置。
【請求項３】
前記リフト部材と前記支持部材との間に前記リフト部材の高さを調節するために設けた第１調節ネジから成る前記原稿圧着板の水平位置調節手段を設けたことを特徴とする、請求項１乃至２のいずれかに記載の原稿圧着板開閉装置。
【請求項４】
前記取付部材と装置本体側との間に前記取付部材の取付位置を調節する第２調節ネジから成る前記原稿圧着板の平行位置調節手段を設けたことを特徴とする、請求項１乃至２のいずれかに記載の原稿圧着板開閉装置。
【発明の詳細な説明】
【技術分野】
【０００１】
この発明は、とくに原稿自動送り装置のような重量物を取り付けた複写機や印刷機（以下単に印刷機という）の原稿圧着板のように重量があり、その重量が一方に片寄っている場合に用いて好適な原稿圧着板開閉装置に関する。
【背景技術】
【０００２】
従来、原稿が本のように厚い厚物原稿に対処するためのリフト機能付きの原稿圧着板開閉装置として、装置本体側に取り付けられる取付部材と、この取付部材に軸着させたところの支持部材と、この支持部材の自由端側に軸着させたところの原稿圧着板の後部を取り付けるリフト部材と、前記取付部材と支持部材の自由端側の間に弾設した弾性手段と、前記リフト部材の支持部材に対する反転（回動）を制御する制御手段で構成したものが公知である。
【０００３】
この従来公知の原稿圧着板開閉装置は、原稿圧着板に原稿自動送り装置のような重量のあるものが附設されている場合で、重心が原稿圧着板の左右方向の中央にある場合は、この最も重量のかかる部分を大型のトルクのある一基の原稿圧着板開閉装置を用いて原稿圧着板を支えている。
【発明の開示】
【発明が解決しようとする課題】
【０００４】
上述した従来公知のリフト機能付きの原稿圧着板開閉装置は、図１に示したように、原稿圧着板１の重心２がこの原稿圧着板１に取り付けた原稿自動送り装置３との関係上左右いずれかの一方へ片寄る場合には、原稿圧着板１を中間開成角度で保持し、急激な落下を防止する機能を有する本来の原稿圧着板開閉装置Ａの他に、リフト操作時における左右のバランスを取りスムーズな原稿圧着板１の開閉操作を促すためもう一つ補助的な原稿圧着板開閉装置Ｂが必要である。
【０００５】
この発明の目的は、かかる補助的な開閉機能を果たす原稿圧着板開閉装置を提供せんとするにある。
【課題を解決するための手段】
【０００６】
上述した目的を達成するためにこの発明は、装置本体上に取り付けられる取付板と軸受板から成る断面略Ｌ字形状を呈した取付部材と、板状を呈し前記取付部材の前記軸受板に片軸受型に軸支された原稿圧着板の支持部材と、板状の基材部とこの基材部の上側と下側の直角方向へ互い違いに曲折して設けた調節片と取付片を有し前記支持部材の自由端側に前記基材部を片軸受型に軸支されたリフト部材とから成り、前記取付部材と前記支持部材の間に当該支持部材の回動範囲を規制する第１規制手段と、前記支持部材と前記リフト部材との間に当該リフト部材の回動範囲を規制する第２規制手段を設けたことを特徴とする。
【０００７】
この発明はまた、装置本体上に取り付けられる取付板と軸受板から成る断面略Ｌ字形状を呈した取付部材と、板状を呈し前記取付部材の前記軸受板に片軸受型に軸支された原稿圧着板の支持部材と、板状の基材部とこの基材部の上側と下側の直角方向へ互い違いに曲折して設けた調節片と取付片を有し前記支持部材の自由端側に前記基材部を片軸受型に軸支されたリフト部材と、このリフト部材と前記取付部材或は支持部材との間に、前記リフト部材を前記支持部材と重なる方向へ附勢するために張設された引張コイルスプリングとから成り、前記取付部材と前記支持部材の間に当該支持部材の回動範囲を規制する第１規制手段と、前記支持部材と前記リフト部材との間に当該リフト部材の回動範囲を規制する第２規制手段を設けたことを特徴とする。
【０００８】
以上いずれの場合においても、前記リフト部材と前記支持部材との間に前記リフト部材の高さを調節するために設けた第１調節ネジから成る前記原稿圧着板の水平位置調節手段を設けるものであり、さらに、前記取付部材と装置本体側との間に前記取付部材の取付位置を調節する第２調節ネジから成る前記原稿圧着板の平行位置調節手段を設けるものである。
【発明の効果】
【０００９】
この発明は以上のように構成したので、次のような効果を奏し得る。
【００１０】
請求項１のように構成すると、簡単な構成を有し、自動原稿送り装置を取り付けることによって重心の片寄った原稿圧着板を、厚物原稿に対応させてリフトさせる際に、もう一つの原稿圧着板開閉装置と協動して原稿圧着板が曲がったり、よじれたりしてしまうのを有効に防止することができるものである。
【００１１】
請求項２のように構成すると、請求項１と同じ効果を奏した上で、リフト部材の復帰動作がスムーズとなるので、リフト操作後の原稿圧着板の復帰動作が確実となるという効果を奏し得る。
【００１２】
請求項３のように構成すると、水平位置調節手段により、原稿圧着板のコンタクトガラスに対する圧着状態が均一となるように調節できるものである
請求項４のように構成すると、平行位置調節手段により、原稿圧着板のコンタクトガラスに対する平行位置を調節することができるものである。
【発明を実施するための最良の形態】
【００１３】
【実施例１】
【００１４】
図２乃至図４は補助的な機能を果たす原稿圧着板開閉装置Ａの一実施の形態を示し、１０は取付板１０ａと軸受板１０ｂを断面略Ｌ字形状に曲折して成る取付部材であり、取付板１０ａを複写機等の装置本体１１上へ取り付けた調節板２２上へ取付ボタン２３を介して摺動可能に取り付けられてある。２４は取付部材１０の平行位置調節手段であり、取付部材１０の後部より突設した移動片１０ｃと調節板２２より突設した固定片２２ａとの間に捻子着された調節ネジ２５と締付ナット２６から構成されている。尚、この平行位置調節手段２４は、後述する原稿圧着板開閉装置Ｂにも設けても良い。ドライバ−を用いて調節ネジ２５を左右いずれかの方向へ回わすことによって、取付部材１０が前後いずれかの方向へ摺動する。
【００１５】
１２は原稿圧着板１３を支持する支持部材であり、取付部材１０の軸受板１０ｂに固着した図示してない筒状の軸受部材と、この軸受部材に挿通させた大径部を有する第１ヒンジピン１４を介して片軸受型かつ回動自在に軸支されている。尚、支持部材１２と取付部材１０の軸受板１０ｂとの間には、第１ヒンジピン１４をその中心部に挿通させてフリクションプレート１５が介在され、ヒンジピン１４の一端部をかしめることにより、フリクショントルクが発生するように工夫されている。
【００１６】
１６は板状の基材部１６ｃとこの基材部１６ｃの上側と下側より互い違いの直角方向へ屈曲されて設けた取付片１６ｂと調節片１６ｄとを有する断面略クランク形状を呈したリフト部材であり、支持部材１２の自由端側に取り付け図示してない筒状の軸受部材とこの軸受部材に挿通させた同じく大径部付きの第２ヒンジピン１７を介して片軸受型かつ揺動可能に軸支されている。尚、この支持部材１２とリフト部材１６との間にも第２ヒンジピン１７をその中心部に挿通させてフリクションプレート１８が介在されており、第２ヒンジピン１７の端部をかしめることにより支持部材１２とリフト部材１６の軸支個所にフリクショントルクが発生するようになっている。このリフト部材１６に設けた図示してない複数の係止孔の一つと支持部材１２に設けた係止片１２ａとの間には引張コイルスプリング１９が張設されリフト部材１６を常に支持部材１２と重なる方向へ附勢させている。支持部材１２にはさらにガイド用ピン２０が取り付けられ、リフト部材１６に設けたガイド溝１６ａに嵌入されている。そして、このガイド用ピン２０とガイド溝１６ａでリフト部材１６の支持部材１２に対する回動範囲を規制する第２規制手段２８を構成している。
【００１７】
２１は原稿圧着板１３の水平位置調節手段であり、リフト部材１６の調節片１６ｄに捻子着され、その先端を支持部材１２の背部１２ｂに当接させた第１調節ネジ２１ａと、締付ナット２１ｂから構成されている。そして、このリフト部材１６の取付片１６ｂに原稿圧着板１３の取付部１３ａの後部が固着されている。尚、１０ｄは支持部材１２に設けた当接片１２ｃに対するストッパー片であり、このストッパー片１０ｄと当接片１２ｃで支持部材１２の取付部材１０に対する回動範囲を規制する第１規制手段２７を構成している。
【００１８】
以上の実施の形態において、支持部材１２とリフト部材１６の間に張設する引張コイルスプリング１９は、これがあるとリフト部材１６の復帰動作がスムーズになるが、これを省略しても良い。その場合には部品点数を省略できる利点がある。
【実施例２】
【００１９】
図５乃至図７は他の構造の原稿圧着板開閉装置Ｂを示し、装置本体１１上に固定された断面略コの字形状の取付部材３０の両側板３０ａ，３０ａには、同じく断面略Ｃチャンネル形状の支持部材３２の両側板３２ａ，３２ａが、その一端部を第１ヒンジピン３３を介して回動自在に軸着されている。取付部材３０と支持部材３２の各両側板３０ａ，３０ａ・３２ａ，３２ａの軸着個所には、図示してないが第１ヒンジピン３３を中心部に挿通させたフリクションワッシャーとスプリングワッシャーがそれぞれ重畳的に介挿され、第１ヒンジピン３３の端部をかしめることによって構成したフリクション手段が設置されている。取付部材３０の両側板３０ａ、３０ａの間にはまた第１ヒンジピン３３と固定ピン３４によってカム部材３５が固着されている。
【００２０】
支持部材３２の両側板３２ａ、３２ａの自由端側には、両側に取付板３６ａ，３６ａを突設させたリフト部材３６が、その両側板３６ｂ，３６ｂの一側部を第２ヒンジピン３７を介して揺動自在に軸着させている。このリフト部材３６の両側板３６ｂ，３６ｂの第２ヒンジピン３７による支持部材３２に対する軸着個所とは異なる位置に作動ピン３８が軸架されている。リフト部材３６の取付板３６ａ，３６ａには原稿圧着板１３の取付部１３ａ，１３ａ（一方のみ表示）が固着されている。
【００２１】
３９ａ，３９ａは圧縮コイルスプリングであり、この圧縮コイルスプリング３９ａ，３９ａは支持部材３２の抱持部３２ｂ，３２ｂに摺動自在に拘持された一対の筒形のスライダー４０，４１内に収納され、このスライダー４０，４１を介してリフト部材３６側の作動ピン３８と取付部材３０側のカム部材３５との間に弾設されている。尚、４２はカム部材３５側のスライダー４１に対するストッパーピンである。
【００２２】
４３は原稿圧着板１３の水平位置調節手段であり、リスト部材３６に捻子着され、その先端を支持部材３２の上面に当接させた第２調節ネジ４３ａと締付ナット４３ｂから構成されている。
【００２３】
したがって、原稿が紙のように薄い薄物原稿の場合には、原稿圧着板１３はリフト部材３６と取付部材３０の間に弾設した圧縮コイルスプリング３９ａ，３９ｂからなる弾性手段３９の弾力によって、開閉動作の全行程に渡って反転することなく操作され、カム部材３５に当接するスライダー４１によって所定の開成角度で安定的に停止保持される。原稿が本のように厚い厚物原稿の場合には、図７に示したように、原稿圧着板１３を厚物原稿４４へ当てがい、手前側を若干強く下押しすることによって作動ピン３８が弾性手段３９を押圧し、その弾力に抗してリフト部材３６が反転し、図７に実線で示したように原稿圧着板１３で該厚物原稿４４の上部を覆うことができるものである。その際、作動ピン３８は支持部材３２の両側板３２ａ，３２ａに設けた切欠３２ｃ，３２ｃ（一方のみ表示）内へ嵌り込み、リフト部材３６の反転を可能にする。厚物原稿４４を取り去ると、弾性手段３９の弾力によりリフト部材３６を介して原稿圧着板１３は自動的に回転して元位置に戻って支持部材３２と重なり合う。
【００２４】
同じようにリフト部材３６が反転する時、原稿圧着板開閉装置Ｂのリフト部材１６も反転して、原稿圧着板１３は厚物原稿４４の上面を水平に覆うことになる。そして、厚物原稿４４を取り去ると、スプリング１９の索引力により元位置に戻る。勿論、ここのところは、スプリング１９がなくとも、原稿圧着板開閉装置Ａのリフト部材３６が元に戻る時に、共に協動して原稿圧着板開閉装置Ｂのリフト部材１６も元位置へ戻ることができる。ただ、スプリングがあると動作の確実性を図ることができる。
【００２５】
以上の実施の形態は、原稿圧着板開閉装置Ａは圧縮コイルスプリング３９ａ，３９ｂから成る弾性手段３９を、支持部材３２に拘持させたスライダー４０，４１内部に収納させて取付部材３０側のカム部材３５とリフト部材３６側の作動ピン３８の間に弾設したものを示したが、この圧縮コイルスプリング３９ａ，３９ｂから成る弾性手段３９の取付部材側は、該取付部材にヒンジピン３３とは異なる位置に軸着させたバネ受部材で支持させるように構成しても良い。
【００２６】
また、圧縮コイルスプリングは、上述のように大小のものを重ねて用いる以外に、同径のものを並べて用いることができる。
【００２７】
原稿圧着板の水平位置調節手段２１，４３は、原稿圧着板１３がその閉成時にコンタクトガラス上に水平に接することができるように調節することにより、原稿送り装置の紙送りに紙送りローラーがコンタクトガラス上へ水平に圧接することができるように構成して、送られる原稿が捩じれたり、よれたりすることがないようにするものであり、調節ネジ２１ａ，４３ａを回すことによりリフト部材１６，３６が第２ヒンジピン１７，３７を支点に揺動し、原稿圧着板１３の水平位置を定めるものである。
【００２８】
次に、平行位置調節手段２４は、自動原稿送り装置のローラが紙の送り方向に対して直角になるように調節するものであり、調節ネジ２５を回すことにより原稿圧着板開閉装置Ｂの取付部材１０が前後に摺動して自動原稿送り装置のローラが紙の送り方向に対して直角になるように調節するものである。
【００２９】
さらに、スライダー４０，４１を支持部材３２へ摺動自在に取り付ける手段としては、実施例の他に支持部材の両側板とスライダーの側部との間の凹凸嵌合、或は切欠と突条の係合による手段に代えても良い。
【図面の簡単な説明】
【００３０】
【図１】この発明の趣旨を説明する説明図である。
【図２】この発明に係る原稿圧着板開閉装置Ａの側面図である。
【図３】図２に係る原稿圧着板開閉装置Ａの正面図である。
【図４】図２に係る原稿圧着板開閉装置Ａの使用状態を説明する説明図である。
【図５】この発明に係る原稿圧着板開閉装置Ｂの側面図である。
【図６】図５に示した原稿圧着板開閉装置Ｂの側断面図である。
【図７】図５に示した原稿圧着板開閉装置Ｂの使用状態を説明する説明図である。
【符号の説明】
【００３１】
Ａ  原稿圧着板開閉装置
Ｂ  原稿圧着板開閉装置
１０，３０  取付部材
１０a  取付板
１０ｂ  軸受板
１１  装置本体
１２，３２  支持部材
１３  原稿圧着板
１４，３３  第１ヒンジピン
１５  フリクションプレート
１６，３６  リフト部材
１６a  ガイド溝
１６ｂ  取付片
１６ｃ  基材分
１６ｄ  調節片
１７，３７  第２ヒンジピン
１８  フリクションプレート
１９  引張コイルスプリング
２０  ガイド用ピン
２１，４３  水平位置調節手段
２４  平行位置調節手段
２７  第１規制手段
２８  第２規制手段
３４  固定ピン
３５  カム部材
３８  作動ピン
４０，４１  スライダー
４２  ストッパーピン
【図１】
2005037954.tif 000003
【図２】
2005037954.tif 000004
【図３】
2005037954.tif 000005
【図４】
2005037954.tif 000006
【図５】
2005037954.tif 000007
【図６】
2005037954.tif 000008
【図７】
2005037954.tif 000009